(57)【要約】 【課題】  接合された１対の磁気コアに巻線を施した構成で、信頼性の高いコイル部品を提供すること。【解決手段】  磁気コア１を、保持する絶縁材料からなる台座３として、磁気コア１の載置部４と、載置部４とほぼ垂直な方向に載置部４と一体に設けられ、磁気コア１と少なくとも一部が係合する位置決め部材５と、位置決め部材５の先端に設けられ、磁気コア１の載置側と対向する面の少なくとも一部と係合する係止部６を有するものを用いる。各部材の接合面には、接着剤を充填することで、磁気コア１の固定をより強固にすることができる。【選択図】  図１
2005259742.tif 000002
【特許請求の範囲】
【請求項１】
接合された１対の磁気コアと、前記磁気コアの少なくとも一部に施された巻線と、絶縁材料からなり前記磁気コアを保持する台座を有するコイル部品において、前記台座は、前記磁気コアの載置部と、前記載置部とほぼ垂直な方向に前記載置部と一体に設けられ、前記磁気コアと少なくとも一部が係合する位置決め部材と、前記位置決め部材の先端に設けられ、前記１対の磁気コアの載置側と対向する面の少なくとも一部と係合する係止部を有することを特徴とするコイル部品。
【請求項２】
前記１対の磁気コアの接合部分、前記磁気コアと前記載置部との接合面、前記磁気コアと前記位置決め部材との係合部、前記磁気コアと前記係止部との係合部の少なくともいずれかの一部に、接着剤が充填されてなることを特徴とする、請求項１に記載のコイル部品。
【発明の詳細な説明】
【技術分野】
【０００１】
本発明は、磁気コアを備えたコイル部品に関し、特に磁気コアとして、１対の磁気コアを接合したものを用いるコイル部品に関する。
【背景技術】
【０００２】
従来使用されているトランス、チョークコイルなどのコイル部品は、軟磁性を有する磁気コアに巻線を施した物が殆どである。そして磁気コアの形状としては、円環型、ＥＩ型、ＥＥ型、壺型など、各種の形状がある。
【０００３】
これらの磁気コアの中で、ＥＩ型、ＥＥ型、壺型は、１対の磁気コアを接合して用いるが、従来は主として接着剤を用いて磁気コアの接合を行っていた。特に、ＥＩ型、ＥＥ型においては、絶縁材料からなる台座に接着剤を用いて接合し、台座に設けられた実装用の端子に巻線の端末を接続する構造が広く採用されている。
【０００４】
図３は、従来のＥＥ型磁気コアを有するコイル部品の例を示す図で、図３（ａ）は斜視図、図３（ｂ）は断面図である。図３において、１は磁気コア、２は巻線、１１は台座である。
【０００５】
このような構造のコイル部品で問題となるのは、それぞれの部品の接合が接着剤のみで行われているので、はんだ付けやリフローなどの温度変化に伴う収縮膨張の繰り返しや外力により、接合面が剥離することである。完全に剥離してしまえば、当然のことながら、コイル部品としての機能を喪失し、一部だけ剥離した場合においても、磁歪に起因する発音、つまり「うなり」などの不具合を生じる。
【０００６】
このような不具合に対処するために様々な技術が検討されている。特許文献１には、ＥＩ型磁気コアの、Ｉ型磁気コア側の、接合面に該当する部分に貫通孔を設け、Ｅ型磁気コアと接合した後、貫通孔に接着剤を充填し、接合面に浸透させることで、Ｅ型コアとＩ型コアを接着固定する技術が開示されている。
【０００７】
図４は、特許文献１に開示されている、従来のＥＩ型磁気コアの例の概略を示す図で、図４（ａ）は斜視図、図４（ｂ）は正面図である。図４において、１２はＥ型磁気コア、１３はＩ型磁気コア、１４はＩ型磁気コア１３に設けた貫通孔である。特許文献１には、貫通孔１４に接着剤を充填することで、Ｅ型磁気コア１２とＩ型磁気コア１３の接合面に接着が浸透して、１対の磁気コアを固定できることが開示されている。
【０００８】
また、特許文献２には、一対の磁気コアを固定用のクリップで固定したインダクタが開示されている。図５は、特許文献２に開示されている、従来のインダクタの例を示す斜視図である。図５において、１５及び１６はＥ型磁気コア、１７は固定クリップである。ここで固定クリップ１７は弾性を有する材料で構成し、磁気コアの固定を確実にしている。
【０００９】
【特許文献１】特開平７−５７９４２号公報
【特許文献２】特開平５−４７５６３号公報
【発明の開示】
【発明が解決しようとする課題】
【００１０】
しかしながら、特許文献１においては、貫通孔に接着剤を充填しても、接着剤の粘性係数が大きい場合は、接合面全体に接着剤が拡がらないことがある。また、接合面全体に接着剤が拡がった場合でも、接合に寄与するのは、磁気コアの接合面のみであり、必ずしも十分に固定できない可能性がある。
【００１１】
また、特許文献２に開示されたインダクタにおいては、巻線を施した後、空隙に封止用の高分子材料を充填するので、磁気コアの固定機能は、実質的に封止用の高分子材料が受け持つことになり、製造工程の増加、ひいては製造コストの増加に繋がるものである。
【００１２】
従って、本発明の課題は、接合された１対の磁気コアに巻線を施したコイル部品に対し、簡略で確実に１対の磁気コアを固定する構造を付与し、低製造コストで、かつ信頼性の高いコイル部品を提供することにある。
【課題を解決するための手段】
【００１３】
本発明は、前記の課題解決のため、１対の磁気コアを組み込む絶縁台座の構造を検討した結果なされたものである。
【００１４】
即ち、本発明は、接合された１対の磁気コアと、前記磁気コアの少なくとも一部に施された巻線と、絶縁材料からなり前記磁気コアを保持する台座を有するコイル部品において、前記台座は、前記磁気コアの載置部と、前記載置部とほぼ垂直な方向に前記載置部と一体に設けられ、前記磁気コアと少なくとも一部が係合する位置決め部材と、前記位置決め部材の先端に設けられ、前記１対の磁気コアの載置側と対向する面の少なくとも一部と係合する係止部を有することを特徴とするコイル部品である。
【００１５】
また、本発明は、前記１対の磁気コアの接合部分、前記磁気コアと前記載置部との接合面、前記磁気コアと前記位置決め部材との係合部、前記磁気コアと前記係止部との係合部の少なくともいずれかの一部に、接着剤が充填されてなることを特徴とする、前記のコイル部品である。
【発明の効果】
【００１６】
本発明のコイル部品に用いられる台座には、１対の磁気コアの接合構造を固定するための位置決め部材と係止部が、磁気コアの載置部と一体に形成されているので、１対の磁気コアの相対的な位置が変位することがなく、磁気コアの剥離に起因する、うなりなどの障害発生を抑制することが可能となる。また、前記の台座は、比較的簡略な構造であり、絶縁性を有する高分子材料で構成できるので、製造が容易で、製造コストに及ぼす影響は極めて少ない。
【００１７】
さらに、本発明のコイル部品は、１対の磁気コアの接合面、磁気コアと台座の接合面に、接着剤を充填して固定をより強固にすることが可能であるが、はんだ付けやリフローによる熱履歴を受けて、接着剤の物性変化が生じても、台座の位置決め部材と係止部の作用により、磁気コアの剥離や位置ずれは実質的に起こらない。
【発明を実施するための最良の形態】
【００１８】
本発明のコイル部品は、絶縁材料からなる台座に、１対の磁気コアを保持するための、位置決め部材と係止部を設けることが特徴であり、磁気コアの形状は特に限定されるものではない。ただし、台座で保持することから、接合面と垂直な方向には突出した部分がないことが望ましい。
【００１９】
また、台座を構成する材質は特に限定されないが、はんだ付けやリフローの工程を考慮すると、例えばポリエチレンのような、軟化温度が低い熱可塑性高分子材料は不適であり、軟化温度が比較的高い、ポリアセタール、ポリアミド、ポリカーボネートに代表される、いわゆるエンジニアリングプラスチックなどを用いることが望ましい。
【実施例１】
【００２０】
次に、図を参照して、本発明の具体的な実施例について説明する。
【００２１】
図１は、本発明の第１の実施例のコイル部品を示す図で、図１（ａ）は斜視図、図１（ｂ）は図１（ａ）に示した破線を含む面の断面図である。図１において、１は磁気コア、２は巻線、３は台座、４は載置部、５は位置決め部材、６は係止部である。
【００２２】
本実施例においては、台座３の載置部４の４隅に、柱状の部材を設けて位置決め部材５を構成し、位置決め部材５の先端に、それぞれ係止部６が設けられている。ここでは特に図示しないが、台座３には巻線２の端末を接続するための端子を設けることが可能である。
【実施例２】
【００２３】
図２は、本発明の第２の実施例のコイル部品を示す図で、図２(ａ)は斜視図、図２（ｂ）は図２（ａ）に示した破線を含む面の断面図である。図２において、７は台座、８は載置部、９は位置決め部材、１０は係止部である。
【００２４】
本実施例においては、台座７の対向する２辺に、板状の部材を設けて位置決め部材９を構成し、位置決め部材９の先端に、それぞれ係止部１０が設けられている。ここでも特に図示しないが、台座７には巻線２の端末を接続するための端子を設けることができるのは、第１の実施例と同様である。
【００２５】
なお、第１の実施例、第２の実施例の両方とも、磁気コアの接合面、磁気コアと、台座の載置面、位置決め部材、係止部との接合面には、接着剤を充填することで、磁気コアの固定をより確実にし、コイル部品の信頼性を高めることができる。
【図面の簡単な説明】
【００２６】
【図１】本発明の第１の実施例のコイル部品を示す図。図１(ａ)は斜視図。図１（ｂ）は図１（ａ）に示した破線を含む面の断面図。
【図２】本発明の第２の実施例のコイル部品を示す図。図２(ａ)は斜視図。図２（ｂ）は図２（ａ）に示した破線を含む面の断面図。
【図３】従来のＥＥ型磁気コアを有するコイル部品の例を示す図。図３（ａ）は斜視図。図３（ｂ）は断面図。
【図４】従来のＥＩ型磁気コアの例の概略を示す図。図４（ａ）は斜視図。図４（ｂ）は正面図。
【図５】従来のインダクタの例を示す斜視図。
【符号の説明】
【００２７】
１    磁気コア
２    巻線
３，７，１１    台座
４，８    載置部
５，９    位置決め部材
６，１０    係止部
１２，１５，１６    Ｅ型磁気コア
１３    Ｉ型磁気コア
１４    貫通孔
１７    固定クリップ
【図１】
2005259742.tif 000003
【図２】
2005259742.tif 000004
【図３】
2005259742.tif 000005
【図４】
2005259742.tif 000006
【図５】
2005259742.tif 000007